(57)【要約】【課題】  ＶＬＡＮ毎に波長を割り当てて、広帯域、低遅延のＶＬＡＮ通信を行う。【解決手段】  送信側ＶＬＡＮ登録情報設定部１１−１は、ＶＬＡＮの構築に必要なＶＬＡＮ登録情報を、光監視制御信号を用いて対向側に送信する。テーブル管理部１２−１は、ＶＬＡＮ登録情報を格納するＶＬＡＮ登録情報テーブルＴ１、アドレスとポート接続の関係の学習結果を格納する学習テーブルＴ２を含みテーブルの管理を行う。送信側ＷＤＭ制御部１３−１は、ＶＬＡＮ登録情報にもとづき、ＶＬＡＮ毎に異なる光波長を割り当てて波長変換をした後、波長多重を行ってＷＤＭ信号を生成し伝送する。受信側ＷＤＭ制御部１３−２は、受信したＷＤＭ信号を波長単位に分離し、分離後の波長を電気信号に変換する。【選択図】  図１
2005286483.tif 000002
【特許請求の範囲】
【請求項１】
ＶＬＡＮを構築してフレームの転送を行う通信システムにおいて、
ＶＬＡＮの構築に必要なＶＬＡＮ登録情報を、光監視制御信号を用いて対向側に送信する送信側ＶＬＡＮ登録情報設定部と、ＶＬＡＮ登録情報を格納するＶＬＡＮ登録情報テーブル、アドレスとポート接続の関係の学習結果を格納する学習テーブルを含みテーブルの管理を行うテーブル管理部と、ＶＬＡＮ登録情報にもとづき、ＶＬＡＮ毎に異なる光波長を割り当てて波長変換をした後、波長多重を行ってＷＤＭ信号を生成し伝送する送信側ＷＤＭ制御部と、ポートからの入力信号を該当の波長変換先へ送信して、前記送信側ＷＤＭ制御部とポート間のインタフェース制御を行う送信側ポートインタフェース部と、から構成される送信側スイッチ装置と、
ＶＬＡＮ登録情報を受信してテーブルに設定する受信側ＶＬＡＮ登録情報設定部と、前記テーブル管理部と、受信したＷＤＭ信号を波長単位に分離し、分離後の波長を電気信号に変換する受信側ＷＤＭ制御部と、電気信号変換後の出力信号に対して、学習テーブルから宛先アドレスを検索し該当ポートへ送信して、前記受信側ＷＤＭ制御部とポート間のインタフェース制御を行う受信側ポートインタフェース部と、から構成される受信側スイッチ装置と、
を有することを特徴とする通信システム。
【請求項２】
前記送信側ＶＬＡＮ登録情報設定部は、隣接装置に対して、前記ＶＬＡＮ登録情報テーブルの差分を送信し、前記テーブル管理部は、前記ＶＬＡＮ登録情報テーブルを更新して、各装置でＶＬＡＮ登録情報の共有化を行うことを特徴とする請求項１記載の通信システム。
【請求項３】
前記送信側ＶＬＡＮ登録情報設定部は、ＶＬＡＮ登録情報を送信する際にＶＬＡＮ登録通知を行い、前記受信側ＶＬＡＮ登録情報設定部は、ＶＬＡＮ登録通知を受信すると、他のＶＬＡＮ登録設定の排他制御を行うことを特徴とする請求項２記載の通信システム。
【請求項４】
ＶＬＡＮを構築してフレームの転送を行うスイッチ装置において、
ＶＬＡＮの構築に必要なＶＬＡＮ登録情報を、光監視制御信号を用いて対向側に送信し、受信したＶＬＡＮ登録情報を設定するＶＬＡＮ登録情報設定部と、
ＶＬＡＮ登録情報を格納するＶＬＡＮ登録情報テーブルと、アドレスとポート接続の関係の学習結果を格納する学習テーブルと、を含みテーブルの管理を行うテーブル管理部と、
ＶＬＡＮ登録情報にもとづき、ＶＬＡＮ毎に異なる光波長を割り当てて波長変換を行う波長変換部と、波長多重を行ってＷＤＭ信号を生成し伝送する波長多重部と、受信したＷＤＭ信号を波長単位に分離する波長分離部と、分離後の波長を電気信号に変換する波長受信部と、を含むＷＤＭ制御部と、
ポートからの入力信号を該当の波長変換先へ送信し、電気信号変換後の出力信号に対して、学習テーブルから宛先アドレスを検索し該当ポートへ送信して、前記ＷＤＭ制御部とポート間のインタフェース制御を行うポートインタフェース部と、
を有することを特徴とするスイッチ装置。
【請求項５】
ＶＬＡＮの仮想ネットワークをスイッチ間で構築してＶＬＡＮ通信を行うＶＬＡＮ通信方法において、
ＶＬＡＮの構築に必要なＶＬＡＮ登録情報を光監視制御信号を用いて対向側に送信し、
ＶＬＡＮ登録情報テーブルでＶＬＡＮ登録情報を格納管理し、学習テーブルでアドレスとポート接続の関係の学習結果を格納管理し、
ポートからの入力信号を該当の波長変換先へ送信し、
ＶＬＡＮ登録情報にもとづき、ＶＬＡＮ毎に光波長を割り当てて波長変換を行い、
波長多重を行ってＷＤＭ信号を生成して伝送し、
受信したＷＤＭ信号を波長単位に分離し、
分離後の波長を電気信号に変換し、
電気信号変換後の出力信号に対して、学習テーブルから宛先アドレスを検索して該当ポートへ送信して、各ＶＬＡＮに異なる波長を割り当ててＶＬＡＮ通信を行うことを特徴とするＶＬＡＮ通信方法。
【発明の詳細な説明】
【技術分野】
【０００１】
本発明は通信システムに関し、特にＶＬＡＮ（Virtual Local Area Network）を構築してフレームの転送を行う通信システムに関する。
【背景技術】
【０００２】
ネットワーク・サービスとして、通信事業者は、主に企業ユーザを対象に、ＶＰＮ（Virtual Private Network）サービスを提供することを実現化している。ＶＰＮは、公衆回線やインターネット等のキャリア網において、拠点間を結んで構築した仮想的なプライベート通信網のことである。ＶＰＮに属するユーザは、通信事業者のサービスを、あたかも専用線のように利用することができる。
【０００３】
また、ＶＰＮよりも規模の小さい仮想閉域ネットワークとしてＶＬＡＮがある。ＶＬＡＮは、ＬＡＮ上でユーザ端末を仮想的にグループ分けしたネットワークであり、大学や企業のビルや工場などのように、地理的に大きな広がりのないローカルの環境で主に利用される。
【０００４】
通常、ＶＰＮの通信サービスは、レイヤ３以上のプロトコルを用いたネットワーク（ＩＰネットワーク）上で行われ、ＶＬＡＮの通信サービスは、イーサネット（登録商標）のようなレイヤ２までを規定したネットワーク上で行われる。また、ＶＬＡＮはＶＬＡＮのサポート機能を有するレイヤ２スイッチ（Ｌ２スイッチ）間で構築される。
【０００５】
一方、近年になって、波長ＶＰＮサービスと呼ばれる光ＶＰＮ技術が開発されている。これは、ＧＭＰＬＳ（Generalized Multi-Protocol Label Switching：光信号の波長を元に光信号のままルーティングを行う技術）を用いて、任意の複数拠点間で波長ベースのＶＰＮを構築可能とするものである。ユーザ間に光パスを設定して各ＶＰＮに専用の光波長を割り当てることで通信の安全性を確保し、また光波長の有する帯域が自由に使用可能のため広帯域化が容易となるという特徴を持っている。
【０００６】
光ＶＰＮの従来技術として、ネットワーク内の波長資源をユーザ要求条件の異なるサービス毎の波長群に分け、波長群毎にそのサービスに適したネットワークポリシーを適用する技術が提案されている（例えば、特許文献１）。
【特許文献１】特開２００３−３４８１２９号公報（段落番号〔００１５〕〜〔００２１〕，第１図）
【発明の開示】
【発明が解決しようとする課題】
【０００７】
波長ＶＰＮサービスは、広帯域、高セキュリティなどの理由により、企業ユーザを対象にして今後広まると予想されるが、ＶＬＡＮに対してはこのようなサービスは実現されていない。
【０００８】
すなわち、外部ネットワークを介しての波長対応のＶＰＮは存在するが、組織内部の各ＶＬＡＮに対して波長を割り当てて、波長対応のＶＬＡＮを提供するサービスは実現されていない。このため、ＶＬＡＮに対しても、波長ＶＰＮサービスと同様に、ＶＬＡＮに波長を割り当てて、広帯域の通信を行うシステムの開発要望が高まっている。
【０００９】
なお、波長ＶＰＮサービスは、ＧＭＰＬＳやＡＴＭをバックボーンとするメッシュ状のネットワーク上に光クロスコネクトを行う波長ルータを複数配置して実現する規模の大きなシステムである。また、上記の従来技術（特開２００３−３４８１２９号公報）は、具体的にはイントラネットとエクストラネットに対応して波長群を対応させたネットワークに対する技術である。
【００１０】
このように、これらのシステムは広域ネットワークをバックボーンにして開発されたものでＩＰプロトコルを基本とするので、ローカルな環境において、Ｌ２スイッチ間で構築したＶＬＡＮに対応して波長を割り当てて通信を行うというＭＡＣレベルでのシステムの実現に対して、上記の波長ＶＰＮサービスや従来技術（特開２００３−３４８１２９号公報）の動作原理を適用することはできない。
【００１１】
一方、ＷＤＭ（Wavelength Division Multiplex：波長の異なる光を多重して、１本の光ファイバで複数の信号を同時に伝送する方式）とＬ２スイッチとを組み合わせてＶＬＡＮを構築した場合、従来の技術では、個々のＬ２システム（２つのＬ２スイッチ間で構築されるＬＡＮシステム）を単にＷＤＭで多重伝送するだけで、ＷＤＭ区間の光ファイバの活用が可能になるだけであった。
【００１２】
図１１はＷＤＭとＬ２スイッチとを組み合わせてＶＬＡＮを構築した従来技術を示す図である。ＷＤＭ装置１０１、１０２は光ファイバＦで接続し、ＷＤＭ装置１０１にはＬ２スイッチ１１０−１〜１１０−ｎが接続し、ＷＤＭ装置１０２にはＬ２スイッチ１２０−１〜１２０−ｎが接続する。そして、Ｌ２スイッチ１１０−１とＬ２スイッチ１２０−１でＬＡＮ１３０−１が構築され、同様にしてＬ２スイッチ１１０−ｎとＬ２スイッチ１２０−ｎでＬＡＮ１３０−ｎが構築される。
【００１３】
ここで、ＬＡＮ１３０−１の内部において、３つのＶＬＡＮ＃１〜＃３が構築されるとする。Ｌ２スイッチ１１０−１、１２０−１は、ＶＬＡＮ＃１〜＃３を識別するためのVLAN ID（４octetのＶＬＡＮタグ情報）をポート毎に設定し、同じVLAN IDを持つポート間でフレームが中継される。
【００１４】
Ｌ２スイッチ１１０−１とＬ２スイッチ１２０−１のフレーム伝送を見た場合、Ｌ２スイッチ１１０−１は、ＶＬＡＮ＃１〜＃３のそれぞれのVLAN IDをポート毎に設定し、VLAN IDが付加された電気信号のフレームを光信号（波長λ１とする）に変換して、ＷＤＭ装置１０１へ出力する。
【００１５】
ＷＤＭ装置１０１は、波長多重伝送を行い、光ファイバＦからＷＤＭ信号を出力する。ＷＤＭ装置１０２は、受信したＷＤＭ信号を波長単位に分離し、波長λ１の光信号をＬ２スイッチ１２０−１へ送信する。Ｌ２スイッチ１２０−１は、波長λ１の光信号を電気信号に変換した後、フレームに付加されているVLAN IDからどのポートへ出力するかを判断し、VLAN IDを実データから取り除いた後に、ＶＬＡＮ＃１〜＃３の該当ポートから出力する。
【００１６】
このように、図１１のシステムはＶＬＡＮ毎に波長を割り当ててＷＤＭ伝送しているのではなく、Ｌ２スイッチ間で構築されるＬＡＮ毎に、１つの波長が割り当てられ、同一の波長においてＶＬＡＮを識別するためにVLAN IDが実データに付加されて伝送される構成になっていた（上記の例では、ＶＬＡＮ＃１〜＃３毎に異なるVLAN IDをフレームに付加して、ＶＬＡＮ＃１〜＃３のこれらのフレームを波長λ１でＷＤＭ伝送している）。
【００１７】
このような従来のシステムでは、ＷＤＭ区間の光ファイバＦを利用してＷＤＭ伝送を行っていることから、回線数が削減されてネットワークトポロジーが簡素化されるという利点はあるが、VLAN IDの通知を必要とするため、送信側でのＩＤ付加による再フレーム化及び受信側でのＩＤ取り除きによる再フレーム化の処理による処理遅延が発生するといった問題があった。また、実トラフック上の１フレームに対し４octet分のデータを付加して送受信することにより、Ｌ２スイッチ間の回線帯域においてフレーム廃棄が発生するといった問題があった。
【００１８】
本発明はこのような点に鑑みてなされたものであり、ＶＬＡＮ毎に波長を割り当てて、広帯域、低遅延の高品質なＶＬＡＮ通信を行う通信システムを提供することを目的とする。
【課題を解決するための手段】
【００１９】
本発明では上記課題を解決するために、図１に示すような、ＶＬＡＮを構築してフレームの転送を行う通信システム１において、ＶＬＡＮの構築に必要なＶＬＡＮ登録情報を、光監視制御信号を用いて対向側に送信する送信側ＶＬＡＮ登録情報設定部１１−１と、ＶＬＡＮ登録情報を格納するＶＬＡＮ登録情報テーブルＴ１、アドレスとポート接続の関係の学習結果を格納する学習テーブルＴ２を含みテーブルの管理を行うテーブル管理部１２−１と、ＶＬＡＮ登録情報にもとづき、ＶＬＡＮ毎に異なる光波長を割り当てて波長変換をした後、波長多重を行ってＷＤＭ信号を生成し伝送する送信側ＷＤＭ制御部１３−１と、ポートＰ１−１〜Ｐｎ−１からの入力信号を該当の波長変換先へ送信して、送信側ＷＤＭ制御部１３−１とポートＰ１−１〜Ｐｎ−１間のインタフェース制御を行う送信側ポートインタフェース部１４−１と、から構成される送信側スイッチ装置１０−１と、ＶＬＡＮ登録情報を受信してテーブルに設定する受信側ＶＬＡＮ登録情報設定部１１−２と、テーブル管理部１２−２と、受信したＷＤＭ信号を波長単位に分離し、分離後の波長を電気信号に変換する受信側ＷＤＭ制御部１３−２と、電気信号変換後の出力信号に対して、学習テーブルから宛先アドレスを検索し該当ポートへ送信して、受信側ＷＤＭ制御部１３−２とポートＰ１−２〜Ｐｎ−２間のインタフェース制御を行う受信側ポートインタフェース部１４−２と、から構成される受信側スイッチ装置１０−２と、を有することを特徴とする通信システム１が提供される。
【００２０】
ここで、送信側ＶＬＡＮ登録情報設定部１１−１は、ＶＬＡＮの構築に必要なＶＬＡＮ登録情報を、光監視制御信号を用いて対向側に送信する。テーブル管理部１２−１は、ＶＬＡＮ登録情報を格納するＶＬＡＮ登録情報テーブルＴ１、アドレスとポート接続の関係の学習結果を格納する学習テーブルＴ２を含みテーブルの管理を行う。送信側ＷＤＭ制御部１３−１は、ＶＬＡＮ登録情報にもとづき、ＶＬＡＮ毎に異なる光波長を割り当てて波長変換をした後、波長多重を行ってＷＤＭ信号を生成し伝送する。送信側ポートインタフェース部１４−１は、ポートＰ１−１〜Ｐｎ−１からの入力信号を該当の波長変換先へ送信して、送信側ＷＤＭ制御部１３−１とポートＰ１−１〜Ｐｎ−１間のインタフェース制御を行う。受信側ＶＬＡＮ登録情報設定部１１−２は、ＶＬＡＮ登録情報を受信してテーブルに設定する。受信側ＷＤＭ制御部１３−２は、受信したＷＤＭ信号を波長単位に分離し、分離後の波長を電気信号に変換する。受信側ポートインタフェース部１４−２は、電気信号変換後の出力信号に対して、学習テーブルから宛先アドレスを検索し該当ポートへ送信して、受信側ＷＤＭ制御部１３−２とポートＰ１−２〜Ｐｎ−２間のインタフェース制御を行う。
【発明の効果】
【００２１】
本発明の通信システムは、ＶＬＡＮ登録情報を、光監視制御信号を用いて対向側に送信し、ＶＬＡＮ登録情報にもとづき、ＶＬＡＮ毎に異なる光波長を割り当てて波長多重伝送を行う構成とした。これにより、実データにVLAN IDを付加する必要がなく、かつ光波長により識別されたＶＬＡＮ上で通信が行えるので、低遅延、広帯域及び高セキュリティの通信を行うことが可能になる。
【発明を実施するための最良の形態】
【００２２】
以下、本発明の実施の形態を図面を参照して説明する。図１は本発明の通信システムの原理図である。通信システム１は、送信側スイッチ装置１０−１と受信側スイッチ装置１０−２から構成され、レイヤ２（ＭＡＣ：Media Access Control）レベルのネットワーク上で、ＶＬＡＮを構築してフレームの転送を行うシステムである。なお、図では送信側、受信側の機能を分けて示しているが、実際は１台のスイッチ装置が送受信の機能を持つものである（本発明のスイッチ装置の構成は図３で後述）。
【００２３】
送信側スイッチ装置１０−１は、送信側ＶＬＡＮ登録情報設定部１１−１、テーブル管理部１２−１、送信側ＷＤＭ制御部１３−１、送信側ポートインタフェース部１４−１から構成される。
【００２４】
送信側ＶＬＡＮ登録情報設定部１１−１は、ＶＬＡＮの構築に必要なＶＬＡＮ登録情報を、光監視制御信号を用いて対向側に送信する。ＶＬＡＮ登録情報には、ＶＬＡＮ識別情報（以下、VLAN ID）、ＶＬＡＮに割り当てる波長、ＶＬＡＮ名称の少なくとも１つが含まれる。
【００２５】
また、光監視制御信号は、具体的にはＷＤＭで用いられるＯＳＣ（Optical Supervisory Channel）信号のことである。ＯＳＣ信号は、１．５〜１５０Ｍｂ／ｓ程度の伝送速度を持ち、ＷＤＭシステムの運用設定、状態監視及び伝送路障害検出などに使用される信号である。以下、光監視制御信号をＯＳＣ信号と呼ぶ。
【００２６】
テーブル管理部１２−１は、ＶＬＡＮ登録情報テーブルＴ１、学習テーブルＴ２のテーブルを有しデータ管理を行う。ＶＬＡＮ登録情報テーブルＴ１は、ＶＬＡＮ登録情報を格納し管理する。学習テーブルＴ２は、アドレス（ＭＡＣアドレス）とポート接続の関係の学習結果を格納し管理する。
【００２７】
送信側ＷＤＭ制御部１３−１は、ＶＬＡＮ登録情報にもとづき、ＶＬＡＮ毎に異なる光波長を割り当てて波長変換をした後、波長多重を行ってＷＤＭ信号（波長多重信号）を生成し、中継送信ポートＴｘから光ファイバＦ上へ伝送する。
【００２８】
送信側ポートインタフェース部１４−１は、送信側ＷＤＭ制御部１３−１とポートＰ１−１〜Ｐｎ−１間のインタフェース制御を行う。例えば、ポートＰ１−１〜Ｐｎ−１からの入力信号を、送信側ＷＤＭ制御部１３−１内の該当の波長変換先へ送信したりする。
【００２９】
一方、受信側スイッチ装置１０−２は、受信側ＶＬＡＮ登録情報設定部１１−２、テーブル管理部１２−２、受信側ＷＤＭ制御部１３−２、受信側ポートインタフェース部１４−２から構成される。
【００３０】
受信側ＷＤＭ制御部１３−２は、光ファイバＦを流れてきたＷＤＭ信号を中継受信ポートＲｘを介して受信する。なお、受信したＯＳＣ信号は、受信側ＶＬＡＮ登録情報設定部１１−２へ送信する。
【００３１】
受信側ＶＬＡＮ登録情報設定部１１−２は、ＶＬＡＮ登録情報を受信してテーブル管理部１２−２内のＶＬＡＮ登録情報録テーブル（図示せず）に保存する。また、受信側ＷＤＭ制御部１３−２は、受信したＷＤＭ信号を波長単位に分離し、分離後の波長を電気信号に変換する。
【００３２】
受信側ポートインタフェース部１４−２は、受信側ＷＤＭ制御部１３−２とポートＰ１−２〜Ｐｎ−２間のインタフェース制御を行う。例えば、電気信号変換後の出力信号に対して、テーブル管理部１２−２内の学習テーブル（図示せず）から宛先アドレスを検索し該当ポートへ送信したりする。
【００３３】
図２は本発明のＶＬＡＮサービスの様子を示す図である。本発明によりＶＬＡＮ毎に異なる波長が割り当てられてＶＬＡＮサービスが実施されている状態を示している。
本発明のスイッチ装置１０ａ、１０ｂは光ファイバＦ１、Ｆ２で接続してＷＤＭ伝送を行う。スイッチ装置１０ａは、複数ポートを持ち、ユーザ端末と接続する。ポートＡ１−１〜Ａｎ−１と端末２−１−１〜２−ｎ−１がそれぞれ接続し、ポートＡ１−２〜Ａｎ−２と端末２−１−２〜２−ｎ−２がそれぞれ接続し、ポートＡ１−ｎ〜Ａｎ−ｎと端末２−１−ｎ〜２−ｎ−ｎがそれぞれ接続する。
【００３４】
また、スイッチ装置１０ｂは、複数ポートを持ち、ユーザ端末と接続する。ポートＢ１−１〜Ｂｎ−１と端末３−１−１〜３−ｎ−１がそれぞれ接続し、ポートＢ１−２〜Ｂｎ−２と端末３−１−２〜３−ｎ−２がそれぞれ接続し、ポートＢ１−ｎ〜Ｂｎ−ｎと端末３−１−ｎ〜３−ｎ−ｎがそれぞれ接続する。
【００３５】
グループＧ１では、波長λ１が割り当てられたＶＬＡＮ＃１を構築し、グループＧ１内で閉じたＶＬＡＮ通信が実施される。同様に、グループＧ２では、波長λ２が割り当てられたＶＬＡＮ＃２を構築して、グループＧ２内で閉じたＶＬＡＮ通信が実施され、グループＧｎでは、波長λｎが割り当てられたＶＬＡＮ＃ｎを構築し、グループＧｎ内で閉じたＶＬＡＮ通信が実施される。
【００３６】
次に本発明のスイッチ装置の構成について説明する。以降ではスイッチ装置をＬ２スイッチと呼ぶ。図３は本発明のＬ２スイッチの構成を示す図である。Ｌ２スイッチ１０は、ＶＬＡＮ登録情報設定部１１、テーブル管理部１２、ＷＤＭ制御部１３、ポートインタフェース部１４から構成される。
【００３７】
ＶＬＡＮ登録情報設定部１１は、ＶＬＡＮの構築に必要なＶＬＡＮ登録情報（VLAN ID、使用波長、ＶＬＡＮ名称）を、ＯＳＣ信号を用いて対向側に送信し、また受信したＶＬＡＮ登録情報を自装置のテーブルに設定する。テーブル管理部１２は、ＶＬＡＮ登録情報テーブルＴ１及び学習テーブルＴ２を有しデータ管理を行う。各テーブルについては上述したので説明は省略する。なお、以降では学習テーブルＴ２をＭＡＣ学習テーブルＴ２と呼ぶ。
【００３８】
ＷＤＭ制御部１３は、ＶＬＡＮ送信キュー１３ａ−１〜１３ａ−ｎ、波長変換部１３ｂ−１〜１３ｂ−ｎ、波長多重部１３ｃ、波長分離部１３ｄ、波長受信部１３ｅ−１〜１３ｅ−ｎ、ＶＬＡＮ受信キュー１３ｆ−１〜１３ｆ−ｎから構成される。
【００３９】
ＶＬＡＮ送信キュー１３ａ−１〜１３ａ−ｎは、ポートインタフェース部１４から送信されたフレームを受信し格納する。波長変換部１３ｂ−１〜１３ｂ−ｎは、ＶＬＡＮ送信キュー１３ａ−１〜１３ａ−ｎからフレームを読み出して電気／光変換（Ｅ／Ｏ）を行い、ＶＬＡＮ登録情報にもとづき、ＶＬＡＮ毎に光波長を割り当てて波長変換を行う。波長多重部１３ｃは、λ１〜λｎの波長多重を行ってＷＤＭ信号を生成し、中継送信ポートＴｘを介して光ファイバＦ１上へ伝送する。
【００４０】
波長分離部１３ｄは、光ファイバＦ２を流れてきた対向Ｌ２スイッチからのＷＤＭ信号を中継受信ポートＲｘを介して受信し、受信したＷＤＭ信号を波長単位に分離する。波長受信部１３ｅ−１〜１３ｅ−ｎは、分離後の波長信号を光／電気変換（Ｏ／Ｅ）する。ＶＬＡＮ受信キュー１３ｆ−１〜１３ｆ−ｎは、波長受信部１３ｅ−１〜１３ｅ−ｎそれぞれから出力された信号を格納する。
【００４１】
ポートインタフェース部１４は、ＷＤＭ制御部１３とポートＰ１〜Ｐｎ間のインタフェース制御を行う。例えば、ポートＰ１〜Ｐｎからの入力信号を該当の波長変換先（ＶＬＡＮ送信キュー１３ａ−１〜１３ａ−ｎ）へ送信したり、電気信号変換後の出力信号（ＶＬＡＮ受信キュー１３ｆ−１〜１３ｆ−ｎからの出力信号）に対して、ＭＡＣ学習テーブルＴ２から宛先アドレスを検索し該当ポートへ送信したりする。
【００４２】
次にＶＬＡＮ登録手順について、図４〜図７を用いて、従来の場合と本発明の場合とを比較しながら説明する。図４はＶＬＡＮ登録手順を示す図である。従来のＶＬＡＮ登録手順を示している。
【００４３】
Ｌ２スイッチ４１、４２は、ＶＬＡＮ通信をサポートする機能を有する従来の装置で、Ｌ２スイッチ４１のポートＰｃ１とＬ２スイッチ４２のポートＰｄ１がメタリックケーブルＣ１で接続し、Ｌ２スイッチ４１のポートＰｃ２とＬ２スイッチ４２のポートＰｄ２がメタリックケーブルＣ２で接続する。
【００４４】
また、Ｌ２スイッチ４１のポートＰ１にユーザ端末２が接続し、Ｌ２スイッチ４２のポートＰｎにユーザ端末３が接続して、ユーザ端末２、３がＶＬＡＮ＃１で従来のＶＬＡＮ通信を行うものとする。なお、ユーザ端末２のＭＡＣアドレスをアドレスＡ、ユーザ端末３のＭＡＣアドレスをアドレスＢとする。
【００４５】
〔Ｓ１〕ユーザは、Ｌ２スイッチ４１側で新規にVLAN ID＝１を作成して、ポートＰ１にＶＬＡＮ＃１を登録する。
〔Ｓ２〕ユーザは、Ｌ２スイッチ４１側の中継ポートＰｃ１、Ｐｃ２にＶＬＡＮ＃１の中継設定を行う。
【００４６】
〔Ｓ３〕ユーザは、Ｌ２スイッチ４２側で新規にVLAN ID＝１を作成し、ポートＰｎにＶＬＡＮ＃１を登録する。
〔Ｓ４〕ユーザは、Ｌ２スイッチ４２側の中継ポートＰｄ１、Ｐｄ２にＶＬＡＮ＃１の中継設定を行う。
【００４７】
次に図４で設定されたＶＬＡＮ＃１におけるデータ通信の流れについて説明する。図５はＶＬＡＮ＃１におけるデータ通信の流れを示す図である。ＭＡＣフレームの流れは概念的に示している。なお、Ｌ２スイッチ４１では、ポートＰ１の接続先にＭＡＣアドレスＡ、ポートＰｃ１、Ｐｃ２の接続先にＭＡＣアドレスＢが存在することをＭＡＣアドレス学習から認識しており、その学習内容はＭＡＣ学習テーブルＴ３ａに格納される。同様に、Ｌ２スイッチ４２では、ポートＰｎの接続先にＭＡＣアドレスＢ、ポートＰｄ１、Ｐｄ２の接続先にＭＡＣアドレスＡが存在することをＭＡＣアドレス学習から認識しており、その学習内容はＭＡＣ学習テーブルＴ３ｂに格納される。
【００４８】
〔Ｓ１１〕Ｌ２スイッチ４１のポートＰ１で、ユーザ端末２のデータを受信する。
〔Ｓ１２〕ポートＰ１にて、受信データ内にVLAN ID（VID）＝１のタグを付加する。
〔Ｓ１３〕Ｌ２スイッチ４１側のＭＡＣ学習テーブルＴ３ａ内を検索し、Ｌ２スイッチ４２側にユーザ端末３が存在することを認識する。そして、ＭＡＣ学習テーブルＴ３ａの検索結果から、Ｌ２スイッチ４２側へデータを中継する。
【００４９】
〔Ｓ１４〕Ｌ２スイッチ４２の中継ポートＰｄ１で受けたデータは、ＭＡＣ学習テーブルＴ３ｂに格納されている学習結果からポートＰｎに転送される。
〔Ｓ１５〕Ｌ２スイッチ４２のポートＰｎは、受信データから付加されているVLAN ID＝１を取り除きユーザ端末３へ中継する。
【００５０】
従来のＭＡＣフレームの流れについて説明する。ＭＡＣフレームｆ２−１はユーザ端末２の送出フレームであり、ＭＡＣフレームｆ２−２は、スイッチ４１内のポートＰ１→ポートＰｃ１への中継時のフレームである。また、ＭＡＣフレームｆ２−３はメタリックケーブルＣ１上での伝送フレームであり、ＭＡＣフレームｆ２−４は、Ｌ２スイッチ４２のポートＰｄ１→ポートＰｎへの中継フレームであり、ＭＡＣフレームｆ２−５はユーザ端末３の受信フレームである。
【００５１】
このように図４、図５で示した従来のＶＬＡＮ登録方法では、Ｌ２スイッチ４１、４２間の伝送においてVLAN IDは個々の装置でユーザにより設定され管理されている。このＩＤを使用してＶＬＡＮを構成する場合、実データを送信する時に、送信側で実データフレームの宛先情報直後に４octetのVLAN IDを付加して相手側スイッチに通知を行っている。
【００５２】
このため、従来では送信側でのＩＤ付加による再フレーム化、受信側でのＩＤ取り除きによる再フレーム化の処理による処理遅延が発生するといった問題があった。また、実トラフック上の１フレームに対し４octet分の余分なデータを付加し送受信することにより、スイッチ間の回線帯域においてのフレーム廃棄が発生するといった問題があった。
【００５３】
さらに、VLAN IDを装置個別に設定していたため、ユーザはＩＤが重複しないようにシステムとしてＩＤ管理をしなければならない。上記の例ではＬ２スイッチ４１、４２でVLAN ID＝１を使用して通信を行っていることを事前に認識して、新たなＶＬＡＮを登録する場合は、VLAN ID＝１以外のＩＤを用いるように配慮する必要があった。このため、一括管理を行うためにはネットワークオペレーションシステム等の装置が必要であり利便性が悪いといった問題があった（なお、VLAN IDの情報をスイッチ間でやり取りする装置が従来の技術（Cisco等）で存在するが、この場合は実回線上（実際のユーザデータと同一回線上）にブロードキャストで送信することで実現している。この場合、ＶＬＡＮ登録のできる装置をあらかじめ決めた上で、かつ登録時にVLAN IDを含むフレームが実データと同一の回線上を飛び交う構成であるので、ユーザデータ用の帯域を圧迫するといった問題があった）。
【００５４】
次に本発明のシステムに対するＶＬＡＮ登録について説明する。図６は本発明のシステムに対するＶＬＡＮ登録手順を示す図である。Ｌ２スイッチ１０−１のポートＰ１にユーザ端末２が接続し、Ｌ２スイッチ１０−２のポートＰｎにユーザ端末３が接続して、ユーザ端末２、３がＶＬＡＮ＃１で通信を行うものとする。ユーザ端末２のＭＡＣアドレスをアドレスＡ、ユーザ端末３のＭＡＣアドレスをアドレスＢとする。
【００５５】
〔Ｓ２１〕ユーザは、Ｌ２スイッチ１０−１に対して新規のＶＬＡＮ＃１（VLAN ID＝１とする）を登録する。またこの際、ＶＬＡＮ＃１のデータ中継に使用する波長（λ１とする）、ＶＬＡＮ名称（企業Ａネットワークとする）も同時に設定する。なお、設定されたこれらのＶＬＡＮ登録情報は、ＶＬＡＮ登録情報テーブルＴ１に格納される。
【００５６】
〔Ｓ２２〕Ｌ２スイッチ１０−１のＶＬＡＮ登録情報設定部１１は、ＯＳＣ信号により、テーブル内の差分情報をＬ２スイッチ１０−２へ通知する。ここでの差分情報は、“VLAN ID＝１”、“波長λ１”、“企業Ａ内ネットワーク”となる。
【００５７】
〔Ｓ２３〕Ｌ２スイッチ１０−２のＶＬＡＮ登録情報設定部１１は、受信したＶＬＡＮ登録情報をテーブルＴ１に格納する。
〔Ｓ２４〕ユーザは、Ｌ２スイッチ１０−１のポートＰ１にＶＬＡＮ＃１の設定を行う。また、中継ポートＰａ１、Ｐａ２にＶＬＡＮ＃１の設定を行う。これらの設定により、ポートＰ１にはＭＡＣアドレスＡのユーザ端末２が接続していること、中継ポートＰａ１、Ｐａ２はＭＡＣアドレスＢのユーザ端末３が接続するといった内容が、Ｌ２スイッチ１０−１のＭＡＣ学習テーブルＴ２に格納される。
【００５８】
〔Ｓ２５〕ユーザは、Ｌ２スイッチ１０−２側のポートＰｎにＶＬＡＮ＃１の設定を行う。また、中継ポートＰｂ１、Ｐｂ２にＶＬＡＮ＃１の設定を行う。これらの設定により、ポートＰｎにはＭＡＣアドレスＢのユーザ端末３が接続していること、中継ポートＰｂ１、Ｐｂ２はＭＡＣアドレスＡのユーザ端末２が接続するといった内容が、Ｌ２スイッチ１０−２のＭＡＣ学習テーブルＴ２に格納される。
【００５９】
次に図６で設定されたＶＬＡＮ＃１におけるデータ通信の流れについて説明する。図７は本発明のＶＬＡＮ＃１におけるデータ通信の流れを示す図である。ＭＡＣフレームの流れは概念的に示している。
【００６０】
〔Ｓ３１〕Ｌ２スイッチ１０−１側のポートＰ１で、ユーザ端末２からのデータを受信する。
〔Ｓ３２〕Ｌ２スイッチ１０−１側のＭＡＣ学習テーブルＴ２を検索し、Ｌ２スイッチ１０−２側にユーザ端末３が存在することを認識する。また、ポートＰａ１、Ｐａ２にＶＬＡＮ＃１の中継が設定されているので、ＶＬＡＮ登録情報テーブルＴ１にもとづき、使用波長をλ１とし、λ１にデータを乗せてＬ２スイッチ１０−２へ送信する。
【００６１】
〔Ｓ３３〕Ｌ２スイッチ１０−２の中継ポートＰｂ１で受信したデータは、ＭＡＣ学習テーブルＴ２からポートＰｎに転送される。データは、ポートＰｎを通じてユーザ端末３へ送信される。
【００６２】
本発明によるＭＡＣフレームの流れについて説明する。ＭＡＣフレームｆ１−１はユーザ端末２の送出フレームであり、ＭＡＣフレームｆ１−２は、Ｌ２スイッチ１０−１内のポートＰ１→ポートＰａ１への中継時のフレームである。また、ＭＡＣフレームｆ１−３は光ファイバＦ１上での伝送フレームであり、ＭＡＣフレームｆ１−４は、Ｌ２スイッチ１０−２のポートＰｂ１→ポートＰｎへの中継フレームであり、ＭＡＣフレームｆ１−５はユーザ端末３の受信フレームである。
【００６３】
このように図６、図７で示した本発明のシステムに対するＶＬＡＮ登録方法では、ＯＳＣ信号を用いて、設定されたVLAN IDが隣接装置へ自動的に送信・設定されるので、従来のように個々の装置で設定・管理する必要がなく、ネットワークオペレーションシステム等の装置が不要となる。
【００６４】
また、ＶＬＡＮ登録時に隣接する装置に対し、ＶＬＡＮ登録情報テーブルＴ１の差分を通知することで、自動的に情報の共有化を実現する。さらに、ＶＬＡＮ毎に異なる波長を割り当ててＷＤＭ伝送を行うので、実フレームにVLAN IDを付加する必要がなくなり、送信側でのＩＤ付加による再フレーム化、及び受信側でのＩＤ取り除きによる再フレーム化の処理が省かれ、フレーム廃棄が生じることがなくなる。
【００６５】
なお、本発明では、新規にＶＬＡＮを設定する際に、他のＶＬＡＮで使用されているVLAN IDが重複登録されないように、防止制御を行う機能を設けることができる。例えば、この機能は現在テーブル内に格納されているＶＬＡＮ登録情報をユーザに表示したり、またはポートに接続している全端末へＶＬＡＮ登録情報を通知することで、ユーザに対して現在使用中のVLAN IDを認識させる。また。重複したVLAN IDがＬ２スイッチに登録された場合はアラーム音を発出したりすることで、ＶＬＡＮの新規登録時のVLAN ID重複登録を防止する。
【００６６】
次にフレーム廃棄率について説明する。図８はフレーム廃棄率を説明するための図である。VLAN IDが付加されたフレームとVLAN IDが付加されていないフレームの廃棄率について示す。なお、図中の最小フレーム間ギャップは１２octetである（１００Mbpsの場合は９．６μｓ、１Gbpsの場合は９６μｓ）。
【００６７】
６４octet（最小フレーム長）のＭＡＣフレームについて考えると、VLAN IDが付加されたフレームは、（プリアンブル＋フレーム開始デリミタ８octet）＋（VLAN ID＝４octet）＋（フレーム長６４octet）＋（ギャップ１２octet）＝８８octetである。VLAN IDが付加されてないフレームは、（プリアンブル＋フレーム開始デリミタ８octet）＋（フレーム長６４octet）＋（ギャップ１２octet）＝８４octetである。
【００６８】
ここで、VLAN ID付加なしを１００％とすれば、（８４／８８）×１００＝９５．５％となり、４．５％分のフレーム廃棄率になる。例えば、６４octetのＭＡＣフレームに対して、１Gbpsの回線上を、VLAN ID付加なしフレームを連続送信した状態を１００％とすれば、VLAN IDが付加されたフレームをこの回線上で送信すると、４．５％分のフレームが廃棄されることになる。
【００６９】
一方、１５１８octet（最大フレーム長）のＭＡＣフレームについて考えると、VLAN IDが付加されたフレームは、（プリアンブル＋フレーム開始デリミタ８octet）＋（VLAN ID＝４octet）＋（フレーム長１５１８octet）＋（ギャップ１２octet）＝１５４２octetである。VLAN IDが付加されてないフレームは、（プリアンブル＋フレーム開始デリミタ８octet）＋（フレーム長１５１８octet）＋（ギャップ１２octet）＝１５３８octetである。
【００７０】
ここで、VLAN ID付加なしを１００％とすれば、（１５３８／１５４２）×１００＝９９．７％となり、０．３％分のフレーム廃棄率になる。例えば、１５１８octetのＭＡＣフレームに対して、１Gbpsの回線上を、VLAN ID付加なしフレームを連続送信した状態を１００％とすれば、VLAN IDが付加されたフレームをこの回線上で送信すると、０．３％分のフレームが廃棄されることになる。
【００７１】
次にＶＬＡＮ登録情報テーブルＴ１の差分情報の通知の流れについて説明する。図９はＶＬＡＮ登録情報テーブルＴ１の差分情報の通知の流れを示す図である。Ｌ２スイッチ１０−１〜１０−３は、ＶＬＡＮ登録情報テーブルＴ１−１〜Ｔ１−３をそれぞれ有している。
【００７２】
ＶＬＡＮ登録情報テーブルＴ１−１〜Ｔ１−３には最初、ＶＬＡＮ登録情報１（VLAN ID＝１０、使用波長＝１５２９．０５、ＶＬＡＮ名称＝企業Ａ内ネットワーク）と、ＶＬＡＮ登録情報２（VLAN ID＝７５０、使用波長＝１５３９．７７、ＶＬＡＮ名称＝Ｏ大学間ネットワーク）とが登録されて格納されている。
【００７３】
〔Ｓ４１〕ユーザは、Ｌ２スイッチ１０−１にＶＬＡＮ登録情報３（VLAN ID＝５、使用波長＝１５２９．０５、ＶＬＡＮ名称＝企業Ｂ内ネットワーク）を登録する。この情報はＶＬＡＮ登録情報テーブルＴ１−１に格納される。
【００７４】
〔Ｓ４２〕Ｌ２スイッチ１０−１のＶＬＡＮ登録情報設定部１１は、差分情報であるＶＬＡＮ登録情報３を、ＯＳＣ信号を用いて、隣接するＬ２スイッチ１０−２へ送信する。
〔Ｓ４３〕Ｌ２スイッチ１０−２のＶＬＡＮ登録情報テーブルＴ１−２は、ＶＬＡＮ登録情報３を格納する。
【００７５】
〔Ｓ４４〕Ｌ２スイッチ１０−２のＶＬＡＮ登録情報設定部１１は、差分情報であるＶＬＡＮ登録情報３を、ＯＳＣ信号を用いて、隣接するＬ２スイッチ１０−３へ送信する。
〔Ｓ４５〕Ｌ２スイッチ１０−３のＶＬＡＮ登録情報テーブルＴ１−３は、ＶＬＡＮ登録情報３を格納する。
【００７６】
次にＶＬＡＮ登録情報の設定操作についてシーケンス図を用いて説明する。図１０はＶＬＡＮ登録情報の設定を示すシーケンス図である。
〔Ｓ５１〕ユーザはＬ２スイッチ１０−１にＶＬＡＮ登録情報の設定を行う。
【００７７】
〔Ｓ５２〕Ｌ２スイッチ１０−１のＶＬＡＮ登録情報設定部１１は、ＶＬＡＮ登録通知を隣接のＬ２スイッチ１０−２へ送信する。
〔Ｓ５３〕Ｌ２スイッチ１０−２のＶＬＡＮ登録情報設定部１１は、ＶＬＡＮ登録通知を受信すると、自装置に対するＩＤ登録操作の排他制御を行い、ＩＤ登録待ち状態となる。ここでは、ＶＬＡＮ登録通知を受信したことで、新たな設定情報が隣接スイッチから送信されてくるため、この間、Ｌ２スイッチ１０−２に対するユーザ（または他の隣接スイッチ）からのＶＬＡＮ登録情報の設定を禁止して重複設定の防止を行っている。
【００７８】
〔Ｓ５４〕Ｌ２スイッチ１０−２のＶＬＡＮ登録情報設定部１１は、ＶＬＡＮ登録通知を隣接のＬ２スイッチ１０−３へ送信する。
〔Ｓ５５〕Ｌ２スイッチ１０−３のＶＬＡＮ登録情報設定部１１は、ＶＬＡＮ登録通知を受信して、自装置に対するＩＤ登録操作の排他制御を行い、ＩＤ登録待ち状態となる。
【００７９】
〔Ｓ５６〕Ｌ２スイッチ１０−１のＶＬＡＮ登録情報テーブルＴ１にＶＬＡＮ登録情報が格納される。
〔Ｓ５７〕Ｌ２スイッチ１０−１のＶＬＡＮ登録情報設定部１１は、差分情報をＬ２スイッチ１０−２へ送信する。
【００８０】
〔Ｓ５８〕Ｌ２スイッチ１０−２のＶＬＡＮ登録情報テーブルＴ１にＶＬＡＮ登録情報が格納されると、ＶＬＡＮ登録情報設定部１１は、差分情報をＬ２スイッチ１０−３へ送信する。
【００８１】
〔Ｓ５９〕Ｌ２スイッチ１０−２のＶＬＡＮ登録情報設定部１１は、登録完了通知をＬ２スイッチ１０−１へ送信する。
〔Ｓ６０〕Ｌ２スイッチ１０−３のＶＬＡＮ登録情報テーブルＴ１にＶＬＡＮ登録情報が格納されると、ＶＬＡＮ登録情報設定部１１は、登録完了通知をＬ２スイッチ１０−２へ送信する。
【００８２】
以上説明したように、本発明によれば、レイヤ２（ＭＡＣ）レベルでの伝送を行うＬ２ネットワークにおいて、ＶＬＡＮを組む際のスイッチ間伝送のVLAN IDの通知はＯＳＣ信号を用いて行い、ＩＤ毎に異なる波長をＶＬＡＮに割り付けて、スイッチ間をＷＤＭ伝送してＶＬＡＮ通信を実現する構成とした。これにより、ＩＤ付加／取り外しによる再フレーム化処理がなくなるので処理が高速化し、また帯域が拡大化するのでフレーム廃棄がなくなる。さらに、ＶＬＡＮに異なる波長を割り当てて通信を行うことで、組織内部の重要情報に対するセキュリティを強化することが可能になる。
【００８３】
（付記１）  ＶＬＡＮを構築してフレームの転送を行う通信システムにおいて、
ＶＬＡＮの構築に必要なＶＬＡＮ登録情報を、光監視制御信号を用いて対向側に送信する送信側ＶＬＡＮ登録情報設定部と、ＶＬＡＮ登録情報を格納するＶＬＡＮ登録情報テーブル、アドレスとポート接続の関係の学習結果を格納する学習テーブルを含みテーブルの管理を行うテーブル管理部と、ＶＬＡＮ登録情報にもとづき、ＶＬＡＮ毎に異なる光波長を割り当てて波長変換をした後、波長多重を行ってＷＤＭ信号を生成し伝送する送信側ＷＤＭ制御部と、ポートからの入力信号を該当の波長変換先へ送信して、前記送信側ＷＤＭ制御部とポート間のインタフェース制御を行う送信側ポートインタフェース部と、から構成される送信側スイッチ装置と、
ＶＬＡＮ登録情報を受信してテーブルに設定する受信側ＶＬＡＮ登録情報設定部と、前記テーブル管理部と、受信したＷＤＭ信号を波長単位に分離し、分離後の波長を電気信号に変換する受信側ＷＤＭ制御部と、電気信号変換後の出力信号に対して、学習テーブルから宛先アドレスを検索し該当ポートへ送信して、前記受信側ＷＤＭ制御部とポート間のインタフェース制御を行う受信側ポートインタフェース部と、から構成される受信側スイッチ装置と、
を有することを特徴とする通信システム。
【００８４】
（付記２）  前記送信側ＶＬＡＮ登録情報設定部は、ＶＬＡＮ登録情報として、ＶＬＡＮ識別情報、ＶＬＡＮに割り当てる波長、ＶＬＡＮ名称の少なくとも１つを送信することを特徴とする付記１記載の通信システム。
【００８５】
（付記３）  前記送信側ＶＬＡＮ登録情報設定部は、隣接装置に対して、前記ＶＬＡＮ登録情報テーブルの差分を送信し、前記テーブル管理部は、前記ＶＬＡＮ登録情報テーブルを更新して、各装置でＶＬＡＮ登録情報の共有化を行うことを特徴とする付記１記載の通信システム。
【００８６】
（付記４）  前記送信側ＶＬＡＮ登録情報設定部は、ＶＬＡＮ登録情報を送信する際にＶＬＡＮ登録通知を行い、前記受信側ＶＬＡＮ登録情報設定部は、ＶＬＡＮ登録通知を受信すると、他のＶＬＡＮ登録設定の排他制御を行うことを特徴とする付記３記載の通信システム。
【００８７】
（付記５）  ＶＬＡＮを構築してフレームの転送を行うスイッチ装置において、
ＶＬＡＮの構築に必要なＶＬＡＮ登録情報を、光監視制御信号を用いて対向側に送信し、受信したＶＬＡＮ登録情報を設定するＶＬＡＮ登録情報設定部と、
ＶＬＡＮ登録情報を格納するＶＬＡＮ登録情報テーブルと、アドレスとポート接続の関係の学習結果を格納する学習テーブルと、を含みテーブルの管理を行うテーブル管理部と、
ＶＬＡＮ登録情報にもとづき、ＶＬＡＮ毎に異なる光波長を割り当てて波長変換を行う波長変換部と、波長多重を行ってＷＤＭ信号を生成し伝送する波長多重部と、受信したＷＤＭ信号を波長単位に分離する波長分離部と、分離後の波長を電気信号に変換する波長受信部と、を含むＷＤＭ制御部と、
ポートからの入力信号を該当の波長変換先へ送信し、電気信号変換後の出力信号に対して、学習テーブルから宛先アドレスを検索し該当ポートへ送信して、前記ＷＤＭ制御部とポート間のインタフェース制御を行うポートインタフェース部と、
を有することを特徴とするスイッチ装置。
【００８８】
（付記６）  前記ＶＬＡＮ登録情報設定部は、ＶＬＡＮ登録情報として、ＶＬＡＮ識別情報、ＶＬＡＮに割り当てる波長、ＶＬＡＮ名称の少なくとも１つを送信することを特徴とする付記５記載のスイッチ装置。
【００８９】
（付記７）  前記ＶＬＡＮ登録情報設定部は、隣接装置に対して、前記ＶＬＡＮ登録情報テーブルの差分を送信し、前記テーブル管理部は、前記ＶＬＡＮ登録情報テーブルを更新して、各装置でＶＬＡＮ登録情報の共有化を行うことを特徴とする付記５記載のスイッチ装置。
【００９０】
（付記８）  前記ＶＬＡＮ登録情報設定部は、ＶＬＡＮ登録情報を送信する際にＶＬＡＮ登録通知を行い、ＶＬＡＮ登録通知を受信すると、他のＶＬＡＮ登録設定の排他制御を行うことを特徴とする付記７記載のスイッチ装置。
【００９１】
（付記９）  ＶＬＡＮの仮想ネットワークをスイッチ間で構築してＶＬＡＮ通信を行うＶＬＡＮ通信方法において、
ＶＬＡＮの仮想ネットワークをスイッチ間で構築してＶＬＡＮ通信を行うＶＬＡＮ通信方法において、
ＶＬＡＮの構築に必要なＶＬＡＮ登録情報を光監視制御信号を用いて対向側に送信し、
ＶＬＡＮ登録情報テーブルでＶＬＡＮ登録情報を格納管理し、学習テーブルでアドレスとポート接続の関係の学習結果を格納管理し、
ポートからの入力信号を該当の波長変換先へ送信し、
ＶＬＡＮ登録情報にもとづき、ＶＬＡＮ毎に光波長を割り当てて波長変換を行い、
波長多重を行ってＷＤＭ信号を生成して伝送し、
受信したＷＤＭ信号を波長単位に分離し、
分離後の波長を電気信号に変換し、
電気信号変換後の出力信号に対して、学習テーブルから宛先アドレスを検索して該当ポートへ送信して、各ＶＬＡＮに異なる波長を割り当ててＶＬＡＮ通信を行うことを特徴とするＶＬＡＮ通信方法。
【００９２】
（付記１０）  隣接装置に対して、前記ＶＬＡＮ登録情報テーブルの差分を送信し、受信側では、前記ＶＬＡＮ登録情報テーブルを更新して、各装置でＶＬＡＮ登録情報の共有化を行うことを特徴とする付記９記載のＶＬＡＮ通信方法。
【００９３】
（付記１１）  ＶＬＡＮ登録情報を送信する際にＶＬＡＮ登録通知を行い、ＶＬＡＮ登録通知を受信すると、他のＶＬＡＮ登録設定の排他制御を行うことを特徴とする付記１０記載のＶＬＡＮ通信方法。
【図面の簡単な説明】
【００９４】
【図１】本発明の通信システムの原理図である。
【図２】本発明のＶＬＡＮサービスの様子を示す図である。
【図３】本発明のＬ２スイッチの構成を示す図である。
【図４】ＶＬＡＮ登録手順を示す図である。
【図５】ＶＬＡＮにおけるデータ通信の流れを示す図である。
【図６】本発明のシステムに対するＶＬＡＮ登録手順を示す図である。
【図７】本発明のＶＬＡＮにおけるデータ通信の流れを示す図である。
【図８】フレーム廃棄率を説明するための図である。
【図９】ＶＬＡＮ登録情報テーブルの差分情報の通知の流れを示す図である。
【図１０】ＶＬＡＮ登録情報の設定を示すシーケンス図である。
【図１１】ＷＤＭとＬ２スイッチとを組み合わせてＶＬＡＮを構築した従来技術を示す図である。
【符号の説明】
【００９５】
１  通信システム
１０−１  送信側スイッチ装置
１１−１  送信側ＶＬＡＮ登録情報設定部
１２−１  テーブル管理部
Ｔ１  ＶＬＡＮ登録情報テーブル
Ｔ２  学習テーブル
１３−１  送信側ＷＤＭ制御部
１４−１  送信側ポートインタフェース部
１０−２  受信側スイッチ装置
１１−２  受信側ＶＬＡＮ登録情報設定部
１２−２  テーブル管理部
１３−２  受信側ＷＤＭ制御部
１４−２  受信側ポートインタフェース部
Ｐ１−１〜Ｐｎ−１  送信ポート
Ｐ１−２〜Ｐｎ−２  受信ポート
Ｔｘ  中継送信ポート
Ｒｘ  中継受信ポート
Ｆ  光ファイバ
【図１】
2005286483.tif 000003
【図２】
2005286483.tif 000004
【図３】
2005286483.tif 000005
【図４】
2005286483.tif 000006
【図５】
2005286483.tif 000007
【図６】
2005286483.tif 000008
【図７】
2005286483.tif 000009
【図８】
2005286483.tif 000010
【図９】
2005286483.tif 000011
【図１０】
2005286483.tif 000012
【図１１】
2005286483.tif 000013